(57)【要約】  【課題】  光源を保護する光源蓋部を用い、該光源蓋部の鏡体により反射された閃光の照射方向を任意に変更することができる撮像装置の提供。  【解決手段】  装置筺体１０のストロボ１３の周囲に回転可能に外嵌された環部１４にストロボ蓋部１５が枢支されている。ストロボ蓋部１５にはストロボ１３から照射された閃光が入射できる位置に鏡体１５ａが取り付けられており、この鏡体１５ａによって反射された閃光が被写体の方向へ照射される。環部１４は、ストロボ１３からの閃光軸ａを中心として回転可能であるので、ストロボ１３から照射された閃光の鏡体１５ａへの入射角度を任意に変更することができる。従って、被写体に照射される閃光の照射角度が任意に変更することができる。【選択図】      図１
2006113485.tif 000002
【特許請求の範囲】
【請求項１】
閃光を照射する光源を装置筺体に備えた撮像装置において、
前記光源に対向配置され、装置筺体の前記光源の周囲に枢支されて前記光源を開閉することが可能な光源蓋部を備え、
該光源蓋部は、内面に鏡体を有することを特徴とする撮像装置。
【請求項２】
前記光源蓋部は、前記光源から照射される閃光軸を中心として回転可能に装置筺体に枢支されていることを特徴とする請求項１に記載の撮像装置。
【請求項３】
装置筺体の前記光源の周囲に回転可能に外嵌される環部を備え、
前記光源蓋部は、前記環部に枢支されていることを特徴とする請求項２に記載の撮像装置。
【請求項４】
前記光源蓋部を前記光源を開放した状態でロックするロック手段を備えることを特徴とする請求項１乃至３のいずれかひとつに記載の撮像装置。
【請求項５】
レンズを有する撮像部及び閃光を照射する光源を装置筺体に備えた撮像装置において、
前記レンズに対向配置され、装置筺体の前記レンズの周囲に枢支されて前記レンズを開閉することが可能なレンズ蓋部を備え、
該レンズ蓋部は、装置筺体と対向する位置まで開放回転することが可能であり、
前記光源は、前記レンズ蓋部が装置筺体と対向する位置まで開放回転した場合に、前記レンズ蓋部に対向する位置に配置されており、
前記レンズ蓋部は、装置筺体と対向する位置まで開放回転した場合に前記光源と重なる位置にフィルタを有することを特徴とする撮像装置。
【請求項６】
前記レンズ蓋部は、装置筺体と対向する位置まで開放回転した場合に自身の重心を通って前記レンズの光軸に平行な軸を中心として回転可能な回転蓋部材を有し、
該回転蓋部材は、複数の所定位置のそれぞれで回転を停止した場合に前記光源と重なる位置にフィルタを有することを特徴とする請求項５に記載の撮像装置。
【請求項７】
前記フィルタは、それぞれ異なるフィルタ特性を有することを特徴とする請求項６に記載の撮像装置。
【請求項８】
前記回転蓋部材を前記所定位置のそれぞれで位置決めする手段を備えることを特徴とする請求項６又は７に記載の撮像装置。
【発明の詳細な説明】
【技術分野】
【０００１】
本発明は、閃光を照射する光源を備えた撮像装置に関する。
【背景技術】
【０００２】
カメラは、光量が少ない状況では良好に撮影を行なうことができないので瞬間的に閃光を照射できるストロボを備えている。ストロボは、室内での撮影又は夜間の撮影のほか、日中の撮影においても逆光となる場合に利用される。また、ストロボが被写体に対してより適正な光量を照射できるように、ストロボからの照射光量を制御するカメラも提供されている。このように、ストロボからの照射光量を制御することによって、暗所での撮影時における赤目現象の発生を低減することができる。
【０００３】
しかし、このようなカメラを用いて、例えば、被写体までの距離が３０ｃｍ程度の近景を撮影するマクロ撮影を行なう場合、被写体までの距離が近すぎるためにストロボの照射光量を適正に制御することができず、被写体に過剰な閃光が照射され、特に画像中央部分に発生する白飛びを防止することが困難である。
【０００４】
このような白飛びを防止する構成として、撮像レンズを備えたレンズ部と、ストロボを備えた本体部との２つの部分を有し、本体部に対してレンズ部が回転自在に構成されたカメラが知られている（例えば、特許文献１参照）。このようなカメラで撮影する場合、本体部に対してレンズ部を適切に回転させてストロボから照射される閃光の照射方向を被写体からずらすことによって、撮像画像の中央の被写体へ照射される光量を低減し、白飛びの発生を軽減することができる。
【０００５】
一方、カメラに設けられたレンズを被覆して保護するレンズカバーを紐体によってカメラ本体に吊り下げた構成を有するカメラがあり、ユーザは、非撮影時にはレンズにレンズカバーを装着してレンズを保護し、撮影時にはレンズカバーをレンズから取り外して用いている。
【特許文献１】特開平１０−２４３２６６号公報
【発明の開示】
【発明が解決しようとする課題】
【０００６】
しかし、特許文献１で開示されているカメラでは、撮像画像の中央の被写体に照射される閃光量を低減することによって白飛びの発生を軽減できるが、ストロボからの閃光の照射方向を被写体に対して上下方向にずらすことができるにすぎないという問題がある。
【０００７】
また、レンズカバーが紐体により吊り下げられたカメラにあっては、紐体により吊り下げられたレンズカバーを手動で脱着操作する必要があるため、このレンズカバーの脱着操作が億劫になり、改善策が要望されていた。特に、撮影時には、レンズから取り外したレンズカバーが紐体により吊り下げられているため、紐体が邪魔であった。
【０００８】
本発明は斯かる事情に鑑みてなされたものであり、その目的とするところは、光源からの閃光の鏡体への入射角度を任意に変更できることにより、被写体に照射する閃光の照射方向を任意に変更でき、撮影画像の白飛びを防止することができる撮像装置を提供することにある。
【０００９】
本発明の他の目的は、装置筺体に外嵌された環部に光源蓋部が枢支されているので、装置筺体を把持した状態であっても光源蓋部に邪魔されることなく閃光の照射方向を変更することができる撮像装置を提供することにある。
【００１０】
更に、本発明の他の目的は、内面に鏡体を有する光源蓋部を光源を開放した状態でロックできることにより、撮像時に、閃光の鏡体への入射角度を維持することができるので、設定された照射方向への閃光の照射を継続することができる撮像装置を提供することにある。
【００１１】
また、本発明の目的は、非撮像時にレンズを保護するレンズ蓋部が、装置筺体と対向する位置まで開放回転された場合に光源と重なる位置にフィルタを配置することにより、フィルタを通った閃光を用いた撮影を行なうことができる撮像装置を提供することにある。
【００１２】
本発明の他の目的は、レンズ蓋部が、装置筺体と対向する位置まで開放回転された場合に自身の重心を通ってレンズの光軸に平行な軸を中心として回転し、所定位置で回転を停止した場合に、それぞれ光源と重なる位置にフィルタを有することにより、それぞれの所定位置に回転させることによって異なるフィルタを通した閃光による撮影を行なうことができる撮像装置を提供することにある。
【課題を解決するための手段】
【００１３】
本発明に係る撮像装置は、閃光を照射する光源を装置筺体に備えた撮像装置において、前記光源に対向配置され、装置筺体の前記光源の周囲に枢支されて前記光源を開閉することが可能な光源蓋部を備え、該光源蓋部は、内面に鏡体を有することを特徴とする。
【００１４】
本発明によれば、光源を開閉することが可能な光源蓋部を備えることにより、携行時等の非撮像時には、光源を閉鎖することによって光源を保護することが可能となる。また、光源蓋部の内面に鏡体を有することにより、撮像時には、光源を開放することによって光源から照射された閃光が鏡体に対して９０°以外の入射角度で入射し、鏡体によって反射させて被写体の方向に照射することが可能である。更に、光源蓋部が装置筺体に枢支されていることにより光源蓋部の紛失を防止することが可能である。
【００１５】
本発明に係る撮像装置は、前記光源蓋部は、前記光源から照射される閃光軸を中心として回転可能に装置筺体に枢支されていることを特徴とする。
【００１６】
本発明によれば、光源蓋部が光源からの閃光軸を中心として回転可能であることにより、光源蓋部の回転に従って、光線から照射されて鏡体に反射された閃光の照射方向を変更することが可能である。
【００１７】
本発明に係る撮像装置は、装置筺体の前記光源の周囲に回転可能に外嵌される環部を備え、前記光源蓋部は、前記環部に枢支されていることを特徴とする。
【００１８】
本発明によれば、装置筺体の光源の周囲に回転可能に環部が外嵌されており、この環部に光源蓋部が枢支されていることにより、装置筺体を把持した状態であっても、光源蓋部に邪魔されることなく環部を回転操作することが可能であり、撮像時の手振れを防止できる。
【００１９】
本発明に係る撮像装置は、前記光源蓋部を前記光源を開放した状態でロックするロック手段を備えることを特徴とする。
【００２０】
本発明によれば、光源蓋部が光源を開放した状態で前記光源蓋部をロックすることにより、撮像時に光源蓋部に風圧等の外力が加わった場合であっても光源蓋部を所定位置で維持することが可能である。
【００２１】
本発明に係る撮像装置は、レンズを有する撮像部及び閃光を照射する光源を装置筺体に備えた撮像装置において、前記レンズに対向配置され、装置筺体の前記レンズの周囲に枢支されて前記レンズを開閉することが可能なレンズ蓋部を備え、該レンズ蓋部は、装置筺体と対向する位置まで開放回転することが可能であり、前記光源は、前記レンズ蓋部が装置筺体と対向する位置まで開放回転した場合に、前記レンズ蓋部に対向する位置に配置されており、前記レンズ蓋部は、装置筺体と対向する位置まで開放回転した場合に前記光源と重なる位置にフィルタを有することを特徴とする。
【００２２】
本発明によれば、レンズを開閉することが可能なレンズ蓋部を備えることにより、携行時等の非撮像時には、レンズを閉鎖することによってレンズを保護することが可能となる。また、レンズ蓋部が装置筺体と対向する位置まで開放回転された場合に光源と重なる位置にフィルタを有することにより、撮像時には、フィルタを通った閃光を用いた撮影を行なうことが可能となる。更に、レンズ蓋部が装置筺体に枢支されていることによりレンズ蓋部の紛失を防止することが可能である。
【００２３】
本発明に係る撮像装置は、前記レンズ蓋部は、装置筺体と対向する位置まで開放回転した場合に自身の重心を通って前記レンズの光軸に平行な軸を中心として回転可能な回転蓋部材を有し、該回転蓋部材は、複数の所定位置のそれぞれで回転を停止した場合に前記光源と重なる位置にフィルタを有することを特徴とする。
【００２４】
本発明によれば、レンズ蓋部が装置筺体と対向する位置まで開放回転された場合に自身の重心を通ってレンズの光軸に平行な軸を中心として回転可能であり、複数の所定位置のそれぞれで回転を停止した場合に光源と重なる位置にそれぞれフィルタを有することにより、それぞれの所定位置へ回転させることによってそれぞれ対応するフィルタを通した閃光による撮影を行なうことが可能となる。
【００２５】
本発明に係る撮像装置は、前記フィルタは、それぞれ異なるフィルタ特性を有することを特徴とする。
【００２６】
本発明によれば、レンズ蓋部に設けられた複数のフィルタがそれぞれ異なるフィルタ特性を有することにより、各フィルタを通した異なる閃光による撮影を行なうことが可能となる。
【００２７】
本発明に係る撮像装置は、前記回転蓋部材を前記所定位置のそれぞれで位置決めする手段を備えることを特徴とする。
【００２８】
本発明によれば、回転可能なレンズ蓋部を所定位置に位置決めする手段を備えることにより、レンズ蓋部に設けられた各フィルタを光源と重なる位置に容易に配置することが可能となる。
【発明の効果】
【００２９】
本発明では、携行時等の非撮像時には、光源蓋部で光源を閉鎖することによって光源を保護することができるので誤って光源が汚れたり、傷ついたりするのを防ぐことができる。また、撮像時には、光源を開放することによって光源から照射された閃光を鏡体で反射させることができるので被写体の方向に照射することができる。具体的には、光源から照射された閃光の鏡体への入射角度に応じて、前記鏡体で反射させた閃光の照射方向を被写体に対して水平方向にずらすことができる。更に、光源蓋部が装置筺体に枢支されていることにより光源蓋部の紛失を防止することができる。
【００３０】
本発明では、光源蓋部が光源からの閃光軸を中心として回転可能であるため、光源蓋部の回転に従って変化する鏡体の向きに基づいて、光線から照射されて鏡体に反射された閃光の照射方向を被写体に対して垂直方向にずらすことができる。よって、撮像時に、光源を開放する方向に光源蓋部を回転させ、更に閃光軸を中心に回転させた場合には、被写体に対して所望の照射角度で閃光を照射することができる。
【００３１】
本発明では、装置筺体に回転可能に外嵌された環部に光源蓋部が枢支されているので、装置筺体を把持した状態であっても、光源蓋部に邪魔されることなく環部を回転操作することができるので、光源蓋部の光源開放位置を狂わせることなく環部を容易に回転させることができる。これにより、撮像時の手振れを防止できると共に、被写体への閃光の照射角度を自由に変更することができる。
【００３２】
本発明では、光源蓋部が光源を開放する状態で前記光源蓋部をロックすることができるので、光源蓋部を所定位置まで正確に回転操作することができると共に、光源蓋部を所定位置まで回転操作した場合には、光源蓋部に風圧等の外力が加わった場合であっても光源蓋部を所定位置で維持することができる。これにより、ユーザによって一旦設定された照射方向への閃光の照射による撮像を継続することができる。
【００３３】
本発明では、携行時等の非撮像時には、レンズ蓋部でレンズを閉鎖することによってレンズを保護することができるので誤ってレンズが汚れたり、傷ついたりするのを防ぐことができる。また、撮像時には、レンズ蓋部を装置筺体と対向する位置まで開放回転させることによってレンズ蓋部に邪魔されることなく撮像することができる。また、レンズ蓋部を装置筺体と対向する位置まで開放回転させた場合に光源と重なる位置にフィルタを配置することによってフィルタを通った閃光を用いた撮影を行なうことができる。更に、レンズ蓋部が装置筺体に枢支されていることによりレンズ蓋部の紛失を防止することができる。
【００３４】
本発明では、レンズ蓋部が装置筺体と対向する位置まで開放回転された場合に、自身の重心を通ってレンズの光軸に平行な軸を中心として回転可能であり、複数の所定位置のそれぞれで回転を停止した場合に光源と重なる位置にそれぞれフィルタを有するので、それぞれの所定位置へ回転させることによってそれぞれ対応するフィルタを通した閃光による撮影を行なうことができる。また、各フィルタを異なるフィルタ特性のものにより構成した場合には、各フィルタを通した異なる閃光による撮影を行なうことができる。
【００３５】
本発明では、回転可能なレンズ蓋部を所定位置に容易に位置決めすることができるので、レンズ蓋部に設けられた各フィルタを光源と重なる位置に容易に配置することができる。
【発明を実施するための最良の形態】
【００３６】
以下に、本発明に係る撮像装置をその実施形態を示す図面に基づいて詳述する。
（実施形態１）
図１は本発明に係る撮像装置の構成を示す斜視図、図２（ａ）は撮像装置の上面図、図２（ｂ）は撮像装置の側面図である。
【００３７】
本実施形態１の撮像装置１は、上部に半円形の湾曲面を有し、略直方体をなす装置筺体１０と、該装置筺体１０に取り付けられたレンズ１１、ビューファインダ１２及び瞬間的に閃光を照射するストロボ（光源）１３とを備えたデジタルビデオカメラである。また、撮像装置１は、レンズ１１を介して取得した撮像状況を目視確認するためのモニタ部（図示せず）も備えており、レンズ１１を被写体へ向け、ビューファインダ１２又はモニタ部で撮像状況を確認しながら撮像する。
【００３８】
装置筺体１０には、レンズ１１、ビューファインダ１２、ストロボ１３及びモニタ部のほか、レンズ１１を介して捉えた光学像を映像信号に変換するＣＣＤ撮像素子及び該ＣＣＤ撮像素子が変換した映像信号に各種処理を行なう処理回路等からなる撮像部等と、これらの各部を制御する制御部とが内蔵されている。よって、撮像装置１は、装置筺体１０に内蔵された制御部による制御に従って、例えば、撮像部による撮像タイミング、具体的にはシャッターの開放タイミングに同期してストロボ１３を発光させて閃光を照射させ、撮像部により映像の撮像処理を行なう。
【００３９】
装置筺体１０は、一側面の所定箇所にストロボ１３を備えており、ストロボ１３の周囲を取り囲むように円筒状の環部１４が取り付けられている。環部１４は、ストロボ１３から照射された閃光の閃光軸ａを中心として回転可能に構成されている。更に、環部１４にはストロボ蓋部（光源蓋部）１５が枢支されている。
【００４０】
ストロボ蓋部１５は、ストロボ１３と対向する円板状の鏡体１５ａと、該鏡体１５ａの裏面に接合され、鏡体１５ａを保護する保護板１５ｂとを有している。また、ストロボ蓋部１５は、ストロボ１３からの閃光軸ａに対して直交するストロボ保護位置から、例えば、鏡体１５ａの鏡面のなす角度が閃光軸ａに対して４５°となるストロボ開放位置へ回転可能となるように構成されている。
【００４１】
なお、図１及び図２における各図は、ストロボ蓋部１５をストロボ開放位置まで回転させた状態を示している。また、ストロボ蓋部１５の回転可能な角度は、４５°に限られず、９０°までであればレンズ１１に対向する被写体に対して適切な閃光を照射することができる。更に、鏡体１５ａは平面鏡を用いているが、その他、凸面鏡又は凹面鏡を用いてもよい。
【００４２】
以下に、環部１４及びストロボ蓋部１５の構成について具体的には説明する。図３は環部１４及びストロボ蓋部１５の構成を示す拡大縦断面図、図４（ａ）はロック部材の構成を示す拡大正面図、図４（ｂ）は図４（ａ）のIV−IV線の断面図である。また、図５（ａ）はストロボ蓋部１５をストロボ開放位置へ回転させた状態の説明図、図５（ｂ）は図５（ａ）の状態から環部１４を反時計回りに９０°回転させた状態の説明図である。
【００４３】
装置筺体１０の外壁には、一側面の所定箇所に円形断面を有する孔部１０ａが穿設されており、孔部１０ａの外縁に沿って外側に突設された環状凸部１０ｂと、該環状凸部１０ｂの外周壁に更に突設された凸部１０ｃとが設けてある。なお、ストロボ１３は、装置筺体１０の内部に装着されており、閃光の照射面を孔部１０ａから外側に向けて配置してある。
【００４４】
環部１４は、装置筺体１０の孔部１０ａの外縁から突設された環状凸部１０ｂに回転自在に外嵌される円形の環部であり、装置筺体１０の凸部１０ｃに係合する環状の係合凸部１４ａと、装置筺体１０の環状凸部１０ｂが当接する円板状のフランジ１４ｂとを有しており、環状凸部１０ｂに取り外し可能に外嵌されている。これにより、環部１４は、閃光軸ａを中心として回転可能である。また、環部１４のフランジ１４ｂは、離隔した位置に突設された二つの枢軸１４ｄ，１４ｄと、該枢軸１４ｄ，１４ｄ間に配され、ストロボ蓋部１５を所定位置でロックするロック部材（ロック手段）５とを有する。このロック部材５は、離隔して対向し、その内側に係止凹部５１ａが設けられた一対の可撓板部５１，５１を有する。
【００４５】
環部１４及び環状凸部１０ｂの一方には、周方向の複数位置に位置決め用の凹部が設けられており、環部１４及び環状凸部１０ｂの他方には、前記位置決め用の凹部に係合する位置決め用の凸部が設けられており、凹部及び凸部の係合により環部１４を周方向の複数位置で容易に位置決めできるように構成されている。
【００４６】
ストロボ蓋部１５の保持板１５ｂには、枢軸１４ｄ，１４ｄが内嵌される二つの軸孔１６，１６と、ロック部材５の可撓板部５１，５１間に嵌合される嵌合軸部１６ａとが設けられている。この嵌合軸部１６ａは係止凹部５１ａに対応する凸部１６ｂを有しており、ストロボ蓋部１５がストロボ開放位置へ揺動するとき、凸部１６ｂが可撓板部５１，５１を撓ませつつ係止凹部５１ａと係合することによりストロボ蓋部１５をロックする。
【００４７】
上述したように、ストロボ蓋部１５をストロボ開放位置まで回転させると、ストロボ蓋部１５の嵌合軸部１６ａがロック部材５の可撓板部５１，５１間に嵌入され、凸部１６ｂが係止凹部５１ａと係合することによりストロボ蓋部１５がロックされる。これにより、図５（ａ）に示すように、ストロボ１３から照射された閃光の鏡体１５ａへの入射角度を４５°に維持することができ、撮像時には、鏡体１５ａによって反射された閃光をレンズ１１に対向する被写体へ適切に照射することができる。
【００４８】
また、撮像時には、装置筺体１０を把持した状態で、環部１４を把持する手の指で環部１４を回転操作することにより、ストロボ開放位置にロックされているストロボ蓋部１５を、ストロボ１３からの閃光軸ａを中心とする任意の位置、例えば図５（ｂ）のように９０°回転させた位置に移動させることができるため、撮像時の手振れを防止しつつ、ストロボ１３からの閃光の照射方向を上下にずらすことができる。
【００４９】
従って、被写体に対して自由な方向に閃光の照射方向をずらすことができるため、撮影画像に発生し得る白飛び又は赤目を軽減することができると共に、ストロボ１３からの閃光を間接光として利用することができ、ユーザの意図する作風における自由度を高めることができる。
【００５０】
また、環部１４の装置筺体１０への取着部分には位置決め用の凹部及び位置決め用の凸部が設けられているため、環部１４に枢支されたストロボ蓋部１５を所定の位置へ正確に移動させることができ、また、前記凹部及び凸部の係合／離脱時にクリック感を得ることができ、環部１４を目視することなく環部１４の移動位置を知ることができる。
【００５１】
従来の撮像装置はストロボにカバーがない場合が多く、汚れや傷が付き易かったが、上述した構成の撮像装置１では、携行時等の非撮像時には、ストロボ蓋部１５がストロボ保護位置にあるのでストロボ１３の表面を保護することができるため、安心して持ち運ぶことができる。
【００５２】
上述した実施形態１では、撮像装置１の装置筺体１０が環部１４を備え、該環部１４にストロボ蓋部１５を枢支してある構成について説明したが、環部１４とストロボ蓋部１５とを一体的に構成してもよい。また、上述した実施形態１では、本発明に係る撮像装置をデジタルビデオカメラに適用した例について説明したが、デジタルスチルカメラ、携帯電話等のレンズ及びストロボを備えた装置であればよい。
【００５３】
（実施形態２）
以下に、実施形態２に係る撮像装置について説明する。図６（ａ）は実施形態２に係る撮像装置の構成を示す斜視図、図６（ｂ）は撮像装置の側面図である。本実施形態２の撮像装置２は、略直方体をなす装置筺体２０と、該装置筺体２０に取り付けられたレンズ２１、ビューファインダ２２、瞬間的に閃光を照射するストロボ（光源）２３及びシャッターボタン２４とを備えたデジタルスチルカメラである。また、撮像装置２は、レンズ２１を介して取得した撮像状況を目視確認するためのモニタ部（図示せず）も備えており、レンズ２１及びストロボ２３を被写体へ向け、ビューファインダ２２又はモニタ部で撮像状況を確認しながら撮像する。
【００５４】
装置筺体２０には、レンズ２１、ビューファインダ２２、ストロボ２３、シャッターボタン２４及びモニタ部のほか、レンズ２１を介して捉えた光学像を映像信号に変換するＣＣＤ撮像素子及び該ＣＣＤ撮像素子が変換した映像信号に各種処理を行なう処理回路等からなる撮像部等と、これらの各部を制御する制御部とが内蔵されている。よって、撮像装置２は、装置筺体２０に内蔵された制御部による制御に従って、例えば、撮像部による撮像タイミング、具体的にはシャッターボタン２４の操作に従ったシャッターの開放タイミングに同期してストロボ２３を発光させて閃光を照射させ、撮像部により映像の撮像処理を行なう。
【００５５】
装置筺体２０は、同一側面の適宜箇所にレンズ２１及びストロボ２３を備えており、レンズ２１から所定間隔を隔てて環状の環状凸部２５が突設されている。また、装置筺体２０には、環状凸部２５の上方に取付部２７が設けられており、取付部２７には円板状のレンズ蓋部２６が取り付けられている。
【００５６】
レンズ蓋部２６は、装置筺体２０の環状凸部２５が有する円形断面の直径と同程度の直径を有する円板状の板体からなり、適宜箇所を矩形断面にくりぬいて、それぞれフィルタが装着されている。図６に示すレンズ蓋部２６には、例えば、ガラス板からなり無色透明のフィルタ２６ａ、ストロボ２３からの閃光を拡散する拡散フィルタ２６ｂ、ストロボ２３からの閃光を集光するスポットフィルタ２６ｃ及びいずれかの色が着色された着色フィルタ２６ｄの４つのフィルタが放射線状に装着されている。なお、フィルタの種類はこれらに限られない。
【００５７】
レンズ蓋部（回転蓋部材）２６は、レンズ２１の光軸ｂに対して直交するレンズ保護位置から、装置筺体２０と対向する位置、具体的には、取付部２７を中心として１８０°回転させたレンズ開放位置へ回転可能となるように構成されている。レンズ蓋部２６がレンズ保護位置に配置されている場合、環状凸部２５及びレンズ蓋部２６は、レンズ２１を保護するレンズカバーとして機能する。従って、携行時等の非撮像時にはレンズ蓋部２６をレンズ保護位置に配置させておくことにより、レンズ２１の表面を保護することができるため、安心して持ち運ぶことができる。なお、図６（ａ）はレンズ蓋部２６がレンズ保護位置に配置してある状態を示しており、図６（ｂ）はレンズ蓋部２６をレンズ開放位置まで回転させた状態を示している。
【００５８】
また、レンズ蓋部２６は、レンズ開放位置まで開放回転された場合に、図６（ｂ）に示すように、ストロボ２３と重なる位置にフィルタ２６ａが装着されている。更に、レンズ蓋部２６は、後述するように、取付部２７に枢支された補強リング２９に回転可能に取り付けられており、レンズ開放位置まで回転された場合に自身の重心を通ってレンズ２１の光軸ｂに平行な軸を中心として図６（ｂ）中の矢符で示す方向に回転可能である。
【００５９】
以下に、環状凸部２５及びレンズ蓋部２６の構成について具体的に説明する。図７はレンズ蓋部２６の構成を示す拡大縦断面図、図８は図７の状態からレンズ蓋部２６をレンズ開放位置まで回転させた状態の説明図である。装置筺体２０の外壁には、レンズ２１の配置位置に円形断面を有する孔部２０ａが穿設されており、装置筺体２０の内部に装着されたレンズ２１が撮像面を孔部２０ａから外側に向けて配置してある。
【００６０】
装置筺体２０には、孔部２０ａから所定距離を隔てた位置に環状凸部２５が突設されており、環状凸部２５の上方に軸孔２７ａを有する取付部２７が設けられている。レンズ蓋部２６は、取付部２７の軸孔２７ａに内嵌される枢軸２９ａを有する補強リング２９に回転可能に取り付けられている。枢軸２９ａの下端部には凸部２９ｂが設けられており、取付部２７の軸孔２７ａはこの凸部２９ｂに対応する係止凹部２７ｂを有している。なお、係止凹部２７ｂは軸孔２７ａの上端周壁に形成されており、凸部２９ｂは、レンズ蓋部２６がレンズ保護位置にある場合には軸孔２７ａの下端周壁に配置される位置に設けられている。従って、レンズ蓋部２６がレンズ保護位置からレンズ開放位置へ回転するとき、枢軸２９ａの凸部２９ｂが軸孔２７ａの周壁によって撓みつつ係止凹部２７ｂと係合することによってレンズ蓋部２６がロックされる。
【００６１】
補強リング２９は、レンズ蓋部２６がレンズ保護位置にある場合に装置筺体２０の環状凸部２５に支持されるように、環状凸部２５の円形断面と同程度の円形断面を有するリングであり、レンズ蓋部２６を回転可能に係止する凸部２９ｃが突設されている。一方、レンズ蓋部２６は、外周縁に沿って溝が形成されており、この溝の外周壁からラジアル方向内側に突設され、この溝に嵌合させた補強リング２９の凸部２９ｃに係合する環状の係合凸部２８を有している。
【００６２】
補強リング２９の凸部２９ｃ及びレンズ蓋部２６の係合凸部２８の一方には、周方向の複数位置に位置決め用の凹部が設けられており、補強リング２９の凸部２９ｃ及びレンズ蓋部２６の係合凸部２８の他方には、前記位置決め用の凹部に係合する位置決め用の凸部が設けられている。よって、位置決め用の凹部及び凸部の係合により、レンズ蓋部２６をレンズ開放位置で、図６（ｂ）中の矢符で示す方向に回転させる場合に周方向の複数位置で容易に位置決めできる位置決め手段として利用できる。
【００６３】
なお、本実施形態では、上述した位置決め用の凹部及び凸部を、フィルタ２６ａ，２６ｂ，２６ｃ，２６ｄのそれぞれがストロボ２３と重なる位置に配置されるように、適切な４箇所に設けられている。また、位置決め用の凹部及び凸部が係合することにより、レンズ蓋部２６の回転をロックすることができ、一旦ストロボ２３と重なる位置に配置されたフィルタ２６における位置が、撮像時においてずれることがない。
【００６４】
上述したように、レンズ蓋部２６をレンズ開放位置まで回転させると、装置筺体２０に突設されている取付部２７の係合凹部２７ｂに、レンズ蓋部２６が取り付けられた補強リング２９の凸部２９が係合するのでレンズ蓋部２６をロックすることができる。これにより、非撮像時にはレンズカバーとして機能するレンズ蓋部２６を、撮像時にはレンズ開放位置で維持することができ、撮影の邪魔とならないと共に、レンズカバーの紛失を防止することができる。
【００６５】
また、レンズ蓋部２６をレンズ開放位置まで回転させた場合、レンズ蓋部２６を補強リング２９との係合箇所でスライドさせることによって回転させることができ、レンズ蓋部２６に装着されているフィルタ２６ａ，２６ｂ，２６ｃ，２６ｄを順にストロボ２３と重なる位置に配置することができる。従って、各種のフィルタ２６ａ，２６ｂ，２６ｃ，２６ｄを通した閃光を用いた撮像を行なうことができ、ユーザの意図する作風における自由度を高めることができる。
【００６６】
また、レンズ蓋部２６の補強リング２９との取着部分に設けられている位置決め用の凹部及び位置決め用の凸部によって、撮像に用いるフィルタを変える場合に、前記凹部及び凸部の係合／離脱時にクリック感を得ることができると共に、レンズ蓋部２６を所定の位置へ正確に移動させることができる。
【００６７】
上述した実施形態２では、本発明に係る撮像装置をデジタルスチルカメラに適用した例について説明したが、デジタルビデオカメラ、携帯電話等のレンズ及びストロボを備えた装置であればよい。
【図面の簡単な説明】
【００６８】
【図１】本発明に係る撮像装置の構成を示す斜視図である。
【図２】（ａ）は撮像装置の上面図、（ｂ）は撮像装置の側面図である。
【図３】環部及びストロボ蓋部の構成を示す拡大縦断面図である。
【図４】（ａ）はロック部材の構成を示す拡大正面図、（ｂ）は（ａ）のIV−IV線の断面図である。
【図５】（ａ）はストロボ蓋部をストロボ開放位置へ回転させた状態の説明図、（ｂ）は（ａ）の状態から環部を反時計回りに９０°回転させた状態の説明図である。
【図６】（ａ）は実施形態２に係る撮像装置の構成を示す斜視図、（ｂ）は撮像装置の側面図である。
【図７】レンズ蓋部の構成を示す拡大縦断面図である。
【図８】図７の状態からレンズ蓋部をレンズ開放位置まで回転させた状態の説明図である。
【符号の説明】
【００６９】
１，２  撮像装置
１０，２０  装置筺体
１１，２１  レンズ
１３，２３  ストロボ（光源）
１４  環部
１５  ストロボ蓋部（光源蓋部）
１５ａ  鏡体
２６  レンズ蓋部（回転蓋部材）
２６ａ，２６ｂ，２６ｃ，２６ｄ  フィルタ
５  ロック部材（ロック手段）
ａ  閃光軸
ｂ  光軸
【図１】
2006113485.tif 000003
【図２】
2006113485.tif 000004
【図３】
2006113485.tif 000005
【図４】
2006113485.tif 000006
【図５】
2006113485.tif 000007
【図６】
2006113485.tif 000008
【図７】
2006113485.tif 000009
【図８】
2006113485.tif 000010